(57)【要約】【課題】薄型化することのできる点灯装置付きランプおよび照明器具を提供する。【解決手段】本発明の点灯装置付きランプ１０によれば、平面らせん形蛍光ランプ１１の平面らせん形状をした発光管１２の両端部を連結するブリッジ１３の内部空間１３ｃに、平面らせん形蛍光ランプ１１を駆動させる点灯装置１４等の電気部品の全てを収納した。この点灯装置１４等の電気部品は、この平面らせん形蛍光ランプ１１を駆動させるのみで足りるため、点灯装置１４等の寿命を平面らせん形蛍光ランプ１１の寿命より短くない程度とすることができ、点灯装置１４等の小型化を図ることができる。これに伴い、ブリッジ１３を薄型化して、点灯装置付きランプ１０の薄型化を図ることができる。【選択図】図１
2010050054.tif 000002
【特許請求の範囲】
【請求項１】
平面らせん形状をした発光管を有する平面らせん形蛍光ランプと、前記発光管の両端部を連結するブリッジとを有し、
前記ブリッジ内部に前記平面らせん形蛍光ランプを駆動させる点灯装置を設けたことを特徴とする点灯装置付きランプ。
【請求項２】
平面らせん形状をした発光管を有する平面らせん形蛍光ランプと、前記発光管の両端部を連結するブリッジとを有し、
前記ブリッジ内部に前記平面らせん形蛍光ランプを駆動させる点灯装置の一部を設けたことを特徴とする点灯装置付きランプ。
【請求項３】
請求項１または２記載の点灯装置付きランプと、前記点灯装置付きランプを収納する器具本体と、前記器具本体に設けられ前記点灯装置付きランプに電力を供給するソケットと、を備えたことを特徴とする照明器具。
【発明の詳細な説明】
【技術分野】
【０００１】
本発明は、点灯装置付きランプおよびこの点灯装置付きランプを用いた照明器具に関するものである。
【背景技術】
【０００２】
従来より、平面的な光源を得るための平面らせん形蛍光灯を用いた照明器具が提案されている（例えば特許文献１参照）。
【０００３】
図５（Ａ）および（Ｂ）に示すように、特許文献１に記載の平面らせん形蛍光ランプ１００においては、一連の屈曲した発光管１０１が、中央部１０２を中心として略一平面上で渦巻状に旋回された二重渦巻き形状を有している。そして、略対向して離れた両端部、すなわち管端部１０３ａ、１０３ｂの間には保持部材としてのブリッジ１０４が設けられている。発光管１０１の両端面には口金１０５が設けられており、各口金１０５には、管端部１０３ａ、１０３ｂの内部に設けられているフィラメント（図示省略）に接続される一対のランプピン１０６が設けられている。
【０００４】
このような平面らせん形蛍光ランプ１００を用いた照明器具では、例えば、図６に示すようなものが考えられる。この照明器具１１０では、例えば矩形箱状の器具本体１１１と、器具本体１１１の前面開口を覆う透明あるいは半透明の樹脂等からなるパネル１１１２を有しており、器具本体１１１の内部には、一方の端部寄りに商用交流電源（図示省略）に接続されている点灯装置１１３等の電気部品が取付けられている。
【特許文献１】特開２００７−８７９６８号公報（第１図）
【発明の開示】
【発明が解決しようとする課題】
【０００５】
しかしながら、前述した平面らせん形蛍光ランプ１００を用いた照明器具１１０においては、円形の平面らせん形蛍光ランプ１００の横に点灯装置１１３等の電気部品が設けられているため、照明器具１１０の小型化を図ることが困難である。そこで、電気部品を平面らせん形蛍光ランプ１００の下に設けることが考えられるが、照明器具１１０が厚くなるという問題があった。
【０００６】
本発明は、従来の問題を解決するためになされたもので、蛍光ランプおよび照明器具を薄型化・小型化を図ることのできる点灯装置付きランプおよび照明器具を提供することを目的とする。
【課題を解決するための手段】
【０００７】
本発明の点灯装置付きランプは、平面らせん形状をした発光管を有する平面らせん形蛍光ランプと、前記発光管の両端部を連結するブリッジとを有し、前記ブリッジ内部に前記平面らせん形蛍光ランプを駆動させる点灯装置を設けた構成を有している。
【０００８】
この構成により、平面らせん形蛍光ランプの平面らせん形状をした発光管の両端部を連結するブリッジ内部に、平面らせん形蛍光ランプを駆動させる点灯装置を設けたので、この点灯装置は、この平面らせん形蛍光ランプを駆動させるのみで足りる。すなわち、点灯装置の寿命は、この平面らせん形蛍光ランプの寿命より長い程度で足りるため、点灯装置等の小型化を図ることができ、ブリッジを薄型化して、点灯装置付きランプの小型化を図ることができる。
【０００９】
また、本発明の点灯装置付きランプは、平面らせん形状をした発光管を有する平面らせん形蛍光ランプと、前記発光管の両端部を連結するブリッジとを有し、前記ブリッジ内部に前記平面らせん形蛍光ランプを駆動させる点灯装置の一部を設けた構成を有している。
【００１０】
この構成により、平面らせん形蛍光ランプの平面らせん形状をした発光管の両端部を連結するブリッジ内部に、平面らせん形蛍光ランプを駆動させる点灯装置の一部を設けたので、このブリッジに設けられる点灯装置は、この平面らせん形蛍光ランプを駆動させるために必要なもののみとすることができる。すなわち、ブリッジに収容される点灯装置の一部は、この平面らせん形蛍光ランプの寿命よりも長い程度で足りるため、ブリッジに収容される点灯装置の一部の小型化を図ることができ、ブリッジを薄型化して、点灯装置付きランプの小型化を図ることができる。
【００１１】
さらに、本発明の照明器具は、前述した点灯装置付きランプと、前記点灯装置付きランプを収納する器具本体と、前記器具本体に設けられ前記点灯装置付きランプに電力を供給するソケットと、を備えた構成を有している。
【００１２】
この構成により、全体丸型（らせん形）の平面らせん形蛍光ランプの点灯装置等を、ブリッジに収納したので、平面らせん形蛍光ランプの横に別途設けるスペースが不要となり、照明器具の小型化を図ることができる。
【発明の効果】
【００１３】
本発明は、平面らせん形蛍光ランプの平面らせん形状をした発光管の両端部を連結するブリッジの内部空間に、平面らせん形蛍光ランプを駆動させる点灯装置等の電気部品の全てを収納した。この点灯装置等の電気部品は、この平面らせん形蛍光ランプを駆動させるのみで足りるため、点灯装置等の寿命を平面らせん形蛍光ランプの寿命より短くない程度とすることができ、点灯装置等の小型化を図ることができる。これに伴い、ブリッジを薄型化して全体の薄型化を図ることができるという効果を有する点灯装置付きランプおよび照明器具を提供することができるものである。
【発明を実施するための最良の形態】
【００１４】
以下、本発明の実施の形態の点灯装置付きランプおよび照明器具について、図面を用いて説明する。
図１（Ａ）は本発明の第１実施形態にかかる点灯装置付きランプの平面図、図１（Ｂ）は同じく側面図、図２（Ａ）は本発明にかかる照明器具に点灯装置付きランプを取り付けた状態を示す平面図、図２（Ｂ）は点灯装置付きランプを取り付ける状態を示す断面図である。
【００１５】
図１に示すように、本発明の第1実施形態に係る点灯装置付きランプ１０は、平面らせん形状をした発光管１２を有する平面らせん形蛍光ランプ１１と、発光管１２の両端部を連結するブリッジ１３とを有し、ブリッジ１３内部に平面らせん形蛍光ランプ１１を駆動させる点灯装置１４を設けたものである。
【００１６】
図１（Ａ）に示すように、平面らせん形蛍光ランプ１１は、一連の屈曲ガラス管からなる発光管１２が、管中央部１２ａを中心として略一平面上で渦巻状に旋回された二重渦巻き形状となっている。発光管１２の両端部には口金１５が設けられており、口金１５には上下一対のランプピン１６，１６が、突出して設けられている。このランプピン１６を後述するランプソケット２２（図２参照）に装着することにより、駆動電力を得ることができる。
【００１７】
ブリッジ１３は、両端に発光管１２の端部を保持する保持部１３ａが設けられており、両保持部１３ａ、１３ａ間には、発光管１２の下側に、箱状の連結部１３ｂを有している。連結部１３ｂは、全体矩形の箱状をしており、内部には内部空間１３ｃを有している。内部空間１３ｃに前述した点灯装置１４等の電気部品の全てが収納されている。従って、ブリッジ１３は、発光管１２の両端を連結して発光管１２を補強する補強部材であると共に、点灯装置１４等を収納する収納箱となっている。
【００１８】
ブリッジ１３の内部空間１３ｃに収納されている点灯装置１４等の電気部品は、平面らせん形蛍光ランプ１１とともに使用され、平面らせん形蛍光ランプ１１とともに交換されるため、平面らせん形蛍光ランプ１１の寿命よりも短くなければ足りる。従って、従来の照明器具に設けられている点灯装置等の電気部品のように、蛍光ランプを交換した後も正常に作動する必要がない。このため、点灯装置１４等の電気部品を小型化あるいは簡略化することが可能であり、点灯装置付きランプ１０の全高を、従来の平面らせん形蛍光ランプの下方に点灯装置を設けた場合の全高よりも薄型化することができる。
【００１９】
なお、ブリッジ１３の両端面１３ｄには、係止突起１７が突出して設けられており、後述する照明器具２０に取付けた際（図２（Ｂ）参照）に、点灯装置付きランプ１０の脱落を防止している。
【００２０】
以上、説明した本発明の第１実施形態にかかる点灯装置付きランプ１０によれば、平面らせん形蛍光ランプ１１の平面らせん形状をした発光管１２の両端部を連結するブリッジ１３の内部空間１３ｃに、平面らせん形蛍光ランプ１１を駆動させる点灯装置１４等の電気部品の全てを収納した。この点灯装置１４等の電気部品は、この平面らせん形蛍光ランプ１１を駆動させるのみで足りるため、点灯装置１４等の寿命を平面らせん形蛍光ランプ１１の寿命より短くない程度とすることができ、点灯装置１４等の小型化を図ることができる。これに伴い、ブリッジ１３を薄型化して、点灯装置付きランプ１０の薄型化を図ることができる。
【００２１】
次に、前述した点灯装置付きランプ１０を用いた照明器具２０について説明する。
図２に示すように、本発明にかかる照明器具２０は、前述した点灯装置付きランプ１０と、この点灯装置付きランプ１０を収納する器具本体２１と、器具本体２１に設けられ点灯装置付きランプ１０に電力を供給するランプソケット２２と、を備えている。
【００２２】
図２（Ａ）に示すように、器具本体２１は、例えば、点灯装置付きランプ１０を収納できる矩形の有底箱状をしており、底部２１ａには一対のランプソケット２２、２２が取付けられている。一対のランプソケット２２、２２は、点灯装置付きランプ１０の中心部を中心としてほぼ対称の位置に設けられており、点灯装置付きランプ１０のランプピン１６を介して、電力を供給している。器具本体２１の互いに対向する側壁２１ｂの内面下部には、支持ブロック２３が取付けられており、支持ブロック２３には、点灯装置付きランプ１０の係止突起１７を保持する係止凹部２３ａが設けられている。なお、器具本体２１の開口を覆うカバーを設けることもできる。
【００２３】
従って、点灯装置付きランプ１０を照明器具２０に取り付けるには、点灯装置付きランプ１０の係止突起１７を器具本体２１に設けられている係止凹部２３ａに挿嵌して係止する。係止突起１７および係止凹部２３ａの構成は、種々のものが考えられる。例えば、係止凹部２３ａとして、一端が支持ブロック２３の上端面に開口（開口２３ｂ）し、全体Ｌ字形状の溝を設けておき、棒状の係止突起１７を開口２３ｂから下降させた後に点灯装置付きランプ１０を回転させて、係止するようにすることができる。この回転時に、同時にランプピン１６をランプソケット２２に挿入して、ランプソケット２２内部の端子と導通させるようにすることができる。
【００２４】
以上、説明した本発明にかかる照明器具２０によれば、全体丸型（らせん形）の平面らせん形蛍光ランプ１１の点灯装置１４等を、全てブリッジ１３に収納したので、点灯装置付きランプ１０の横に、従来のような点灯装置を配置するためのスペースを別途設ける必要がなくなり、照明器具２０の小型化を図ることができる。また、点灯装置付きランプ１０の薄型化に伴い、照明器具２０の薄型化を図ることができる。
【００２５】
次に、本発明の第２実施形態にかかる点灯装置付きランプ１０Ｂおよび照明器具２０Ｂについて説明する。
図３（Ａ）は本発明の第２実施形態にかかる点灯装置付きランプの平面図、図３（Ｂ）は同じく側面図、図４（Ａ）は本発明にかかる照明器具に点灯装置付きランプを取り付ける状態を示す断面図、図４（Ｂ）は点灯装置付きランプを取り付けた照明器具の断面図である。なお、前述した第１実施形態にかかる点灯装置付きランプおよび照明器具と共通する部位には同じ符号を付して、重複する説明を省略することとする。
【００２６】
図３に示すように、本発明の第２実施形態に係る点灯装置付きランプ１０Ｂは、平面らせん形状をした発光管１２を有する平面らせん形蛍光ランプ１１と、発光管１２の両端部を連結するブリッジ１３Ｂとを有し、ブリッジ１３Ｂ内部に平面らせん形蛍光ランプ１１を駆動させる点灯装置の一部１４Ｂを設けたものである。
【００２７】
ブリッジ１３Ｂは、両端に発光管１２の端部を保持する保持部１３ａが設けられており、両保持部１３ａ、１３ａ間は、発光管１２の下側において全体Ｔ字形状をした連結部１３ｂを有している。連結部１３ｂは、中央に例えば円筒形状の一部で構成される収納部１３ｅを有しており、内部には内部空間１３ｆを有している。内部空間１３ｆには、例えば、インバータのみのような点灯装置の一部１４Ｂが収納されている。従って、ブリッジ１３は、発光管１２の両端を連結して発光管１２を補強する補強部材であると共に、点灯装置の一部１４Ｂ等を収納する収納箱となっている。
【００２８】
ブリッジ１３Ｂの内部空間１３ｆに収納されている点灯装置の一部１４Ｂは、平面らせん形蛍光ランプ１１とともに使用され、平面らせん形蛍光ランプ１１とともに交換および廃棄されるため、平面らせん形蛍光ランプ１１の寿命よりも短くなければ足りる。従って、従来の照明器具に設けられている点灯装置等の電気部品のように、蛍光ランプを交換した後も正常に作動する必要がない。このため、点灯装置の一部１４Ｂを小型化あるいは簡略化することが可能であり、点灯装置付きランプ１０Ｂの全高を、従来の平面らせん形蛍光ランプの下方に点灯装置を設けた場合の全高よりも薄型化することができる。
【００２９】
なお、ブリッジ１３Ｂの収納部１３ｅの両側面１３ｇ、１３ｇには、係止突起１７が突出して設けられており、後述する照明器具２０Ｂに取付けた際（図４（Ｂ）参照）に、点灯装置付きランプ１０の脱落を防止している。
【００３０】
以上、説明した本発明の第２実施形態にかかる点灯装置付きランプ１０Ｂによれば、平面らせん形蛍光ランプ１１の平面らせん形状をした発光管１２の両端部を連結するブリッジ１３Ｂの内部に、平面らせん形蛍光ランプ１１を駆動させる点灯装置の一部１４Ｂを設けたので、このブリッジ１３Ｂに設けられる点灯装置の一部１４Ｂは、この平面らせん形蛍光ランプ１１を駆動させるために必要なもののみとすることができる。すなわち、ブリッジ１３Ｂに収容される点灯装置の一部１４Ｂは、この平面らせん形蛍光ランプ１１の寿命よりも長い程度で足りるため、ブリッジ１３Ｂに収容される点灯装置の一部１４Ｂの小型化を図ることができ、ブリッジ１３Ｂを薄型化して、点灯装置付きランプ１０Ｂの小型化を図ることができる。
【００３１】
次に、前述した点灯装置付きランプ１０Ｂを用いた照明器具２０Ｂについて説明する。
図４に示すように、本発明にかかる照明器具２０Ｂは、前述した点灯装置付きランプ１０Ｂと、この点灯装置付きランプ１０Ｂを収納する器具本体２１と、器具本体２１に設けられ点灯装置付きランプ１０に電力を供給するランプソケットおよび点灯装置の他の部分２４と、を備えている。
【００３２】
図２（Ａ）に示すように、器具本体２１は、例えば、点灯装置付きランプ１０を収納できる矩形の有底箱状をしており、底部２１ａには点灯装置の他の部分２４を収納する支持ブロック２３Ｂが設けられている。なお、支持ブロック２３Ｂの中央部には、点灯装置付きランプ１０Ｂの収納部１３ｅが所定の角度だけ回転可能に挿入される空間２５が設けられており、空間２５に面する支持ブロック２３Ｂの内周面２３ｃには、点灯装置付きランプ１０Ｂの係止突起１７を係止する係止凹部２３ｂが設けられている。
【００３３】
従って、点灯装置付きランプ１０Ｂを照明器具２０Ｂに取り付けるには、点灯装置付きランプ１０Ｂの係止突起１７を器具本体２１に設けられている係止凹部２３ａに挿嵌して係止する。そして、ランプピン１６をランプソケット（図示省略）に挿入して、ランプソケット内部の端子と導通させるようにする。
【００３４】
以上、説明した本発明にかかる照明器具２０Ｂによれば、全体丸型（らせん形）の平面らせん形蛍光ランプ１１の点灯装置の一部１４Ｂを、ブリッジ１３Ｂに収納したので、点灯装置付きランプ１０Ｂの横に従来のような点灯装置等を配置するためのスペースを別途設ける必要がなくなり、照明器具２０Ｂの小型化を図ることができる。また、点灯装置付きランプ１０Ｂの薄型化に伴い、照明器具２０Ｂの薄型化を図ることができる。
【００３５】
なお、本発明の点灯装置付きランプおよび照明器具は、前述した各実施形態に限定されるものでなく、適宜な変形，改良等が可能である。
例えば、前述した各実施形態において、照明器具２０、２０Ｂとして矩形箱状の器具本体２１を有する場合を例示したが、器具本体を円筒形状とすることにより、一層の小型化を図ることができる。
【図面の簡単な説明】
【００３６】
【図１】（Ａ）は本発明の第１実施形態にかかる点灯装置付きランプの平面図、（Ｂ）は同じく側面図
【図２】（Ａ）は本発明にかかる照明器具に点灯装置付きランプを取り付けた状態を示す平面図、（Ｂ）は点灯装置付きランプを取り付ける状態を示す断面図
【図３】（Ａ）は本発明の第２実施形態にかかる点灯装置付きランプの平面図、（Ｂ）は同じく側面図
【図４】（Ａ）は本発明にかかる照明器具に点灯装置付きランプを取り付ける状態を示す断面図、（Ｂ）は点灯装置付きランプを取り付けた照明器具の断面図
【図５】（Ａ）は従来の平面らせん形蛍光ランプをブリッジとは反対側から見た斜視図、（Ｂ）はブリッジ側から見た斜視図
【図６】従来の平面らせん形蛍光ランプを用いた照明器具の斜視図
【符号の説明】
【００３７】
１０、１０Ｂ  点灯装置付きランプ
１１  平面らせん形蛍光ランプ
１２  発光管
１３、１３Ｂ  ブリッジ
１４  点灯装置
１４Ｂ  点灯装置の一部
２０、２０Ｂ  照明器
２１  器具本体
２２  ソケット
【図１】
2010050054.tif 000003
【図２】
2010050054.tif 000004
【図３】
2010050054.tif 000005
【図４】
2010050054.tif 000006
【図５】
2010050054.tif 000007
【図６】
2010050054.tif 000008